(57)【特許請求の範囲】
【請求項１】
瓶口を覆う中栓の天面に吐出口を設け、この吐出口を包囲する中栓の天面の複数位置にそれぞれ突部を設けると共に、前記中栓の天面上に、前記吐出口および前記突部と位置合わせされた複数の孔部または切り欠き部を有する弾性体を取り付け、この弾性体の表面を少なくとも前記吐出口および前記突部の先端と略同一高さに位置させ、かつこの弾性体の表面に、前記吐出口と位置合わせされた円形の孔部を有するカバーを取り付けた塗布具付容器において、
前記カバーが、ウレタン樹脂からなる基部と、この基部の上部に積層された織布または不織布からなる積層物であり、該カバーの孔部の周囲を加熱して、この孔部の周囲に自己溶着層を形成したことを特徴とする、塗布具付容器。
【請求項２】
前記弾性体の表面を、前記吐出口および前記突部の先端からわずかに突出させたことを特徴とする、請求項１記載の塗布具付容器。
【請求項３】
前記弾性体がスポンジであることを特徴とする、請求項１または２記載の塗布具付容器
【請求項４】
前記溶着を超音波加熱により行うことを特徴とする、請求項１〜３のいずれか１項に記載の塗布具付容器。
【請求項５】
前記溶着を高周波加熱により行うことを特徴とする、請求項１〜３のいずれか１項に記載の塗布具付容器。
【請求項６】
前記中栓に設けた前記吐出口に密接するシール部をキャップの内奥部に設けたことを特徴とする、請求項１〜５のいずれか１項記載の塗布具付容器。
【請求項７】
前記キャップの天面の複数位置にマッサージ用の突部を設けたことを特徴とする、請求項１〜６のいずれか１項記載の塗布具付容器。
【請求項８】
容器がボトル型の形態をなすことを特徴とする、請求項１〜７のいずれか１項記載の塗布具付容器。
【請求項９】
容器がチューブ型の形態をなすことを特徴とする、請求項１〜７のいずれか１項記載の塗布具付容器。
【発明の詳細な説明】
【０００１】
【発明の属する技術分野】
本発明は、容器内に収容された液状の内容物を容器から直接塗布することができる塗布具付容器に関するものであり、特に、この内容物を塗布面で伸ばすことができると共に塗布面で押圧マッサージを行うことができ、さらに必要に応じて内容物を手に取って使用することもできる、塗布具付容器に関するものである。
【０００２】
【従来の技術】
かかる塗布具付容器として、例えば図１に断面図で示すものが、特開平11-244770号に開示されている。図示の塗布具付容器１においては、例えば肩こり薬などの液状の内容物を収容する容器本体２の瓶口３に中栓４が嵌合して取り付けられている。なお、瓶口３の外周面にはキャップ５をねじ込むためのねじ山が設けられている。
【０００３】
中栓４の天面には、複数の突部６が、また、その中央には吐出口７がそれぞれ設けられている。さらに中栓４の天面には、例えばスポンジ製の弾性体８が配置されている。弾性体８には、中栓４の吐出口７と位置合わせされた中心孔8aおよび、突部６と位置合わせされた複数の孔または切り欠き8bが設けられている。弾性体８上には、さらにカバー９が配設されている。カバー９は、例えばウレタン樹脂等からなる基部10と、例えばトリコット等の織布または不織布からなる上部11とを積層した構造となっている。なお、中栓４の外周には、このカバー９を固定するためのリング12が嵌め込まれている。
【０００４】
一方キャップ５には、その内側中央部に、中栓４の吐出口７を密閉するためのシール13が、外側の天面には複数のマッサージ用突部14がそれぞれ設けられている。
【０００５】
図２は、カバー９の外観を示すものであり、中栓４に取り付ける前の状態を示している。図２(a)は平面図、図２(b)は側面図、図２(c)は図２(b)の一部を拡大してそれぞれ示すものである。図示のようにカバー９は円形をなしており、その中央には、中栓４の吐出口７と位置合わせされた孔部15が設けられている。
【０００６】
この孔部15は、打ち抜き加工などにより形成される。しかしながら、この孔部15には、塗布具付容器１の使用中に、その外周から繊維のほつれが生じたり、破れたりし易いと言った問題がある。
【０００７】
【発明が解決しようとする課題】
本発明の目的は、上述した問題点を解決した、塗布具付容器を提案するものである。
【０００８】
【課題を解決するための手段】
すなわち本発明は、瓶口を覆う中栓の天面に吐出口を設け、この吐出口を包囲する中栓の天面の複数位置にそれぞれ突部を設けると共に、前記中栓の天面上に、前記吐出口および前記突部と位置合わせされた複数の孔部または切り欠き部を有する弾性体を取り付け、この弾性体の表面を少なくとも前記吐出口および前記突部の先端と略同一高さに位置させ、かつこの弾性体の表面に、前記吐出口と位置合わせされた円形の孔部を有するカバーを取り付けた塗布具付容器において、前記カバーが、ウレタン樹脂からなる基部と、この基部の上部に積層された織布または不織布からなる積層物であり、該カバーの孔部の周囲を加熱して、この孔部の周囲に自己溶着層を形成したことを特徴とするものである。
【０００９】
本発明による塗布具付容器は、塗布面となるカバーの中央に設けられた孔部の周囲を加熱して溶着層を形成して固化させたことにより孔部での繊維のほつれや、カバーの破れを防ぐことが可能となる。溶着は、超音波加熱や高周波加熱により行うことが可能である。また弾性体はスポンジでも良く、その表面が前記吐出口および前記突部の先端からわずかに突出しても良い。
【００１０】
また本発明による塗布具付容器においては、キャップの天面の複数位置にマッサージ用の突部を設けることができる。さらに、容器はボトル型、チューブ型のいずれでも良い。
【００１１】
【発明の実施の形態】
以下、図面を参照して本発明の好適な実施形態について説明する。
【００１２】
図３は、本発明による塗布具付容器に用いるカバーを示すものである。なお、本発明における塗布具付容器自体は、図１に示す塗布具付容器１と同様の構成を有しており、したがって図面および説明は省略する。
【００１３】
図示のカバー16は、図２のカバー９と同様に円形をなし、中央には塗布具付容器の中栓の中央に設けられた吐出口と位置合わせされた孔部17を有する。なお、本カバー16は、図２のカバー９と同様に、ウレタン樹脂からなる基部と、トリコット等の織布または不織布からなる上部とを積層したものとすることができる。
【００１４】
本カバー16においては、孔部17の外周を溶着により固化させている。この溶着部18を設けたことにより、孔部17からの繊維のほつれや、カバーの破れを防ぐことができるようになる。この溶着部18の形成方法としては、例えば超音波による加熱や、高周波による加熱が利用できるが、これらに限定されるものではない。
【００１５】
以上説明したように、本発明による塗布具付容器は、塗布面となるカバーの中央に設けられた孔部の周囲を溶着により固化させたことにより、孔部での繊維のほつれや、カバーの破れを防ぐことが可能となる。
【図面の簡単な説明】
【図１】  塗布具付容器の断面図である。
【図２】  図１の塗布具付容器に用いるカバーの外観を示す図である。
【図３】  本発明による塗布具付容器に用いるカバーを示す平面図である。
【符号の説明】
１  塗布具付容器
２  容器本体
３  瓶口
４  中栓
５  キャップ
６  突部
７  吐出口
８  弾性体
９，16  カバー
10  カバー９の基部
11  カバー９の上部
12  リング
13  シール
14  マッサージ用突部
15  カバー９の孔部
17  カバー17の孔部
18  溶着部
【図１】
0004439065.tif 000002
【図２】
0004439065.tif 000003
【図３】
0004439065.tif 000004